(57)【要約】【課題】筒体の一端の開口と他端の開口とを結ぶ線である接合線に沿って一対の縁部が接合される板状部材により形成され、高い強度を有する中空の筒体を提供する。【解決手段】当該筒体の一端の開口と他端の開口とを結ぶ線である接合線に沿って一対の縁部が接合される板状部材により形成される中空の筒体であって、一対の縁部のうち一方の縁部に沿った折返し線に沿って板状部材が内部方向に折り返されることで、筒体の内部方向に突出するように形成される一方の折返し部分と、一対の縁部のうち他方の縁部に沿った折返し線に沿って板状部材が内部方向に折り返されることで、筒体の内部方向に突出するように形成される他方の折返し部分と、を備えてなり、板状部材が有する両主表面のうち筒体の外面に連続する面が互いに面するよう両方の折返し部分が互いに固定されるものである、中空の筒体である。【選択図】図３
0003150657.tif 000002
【実用新案登録請求の範囲】
【請求項１】
当該筒体の一端の開口と他端の開口とを結ぶ線である接合線に沿って一対の縁部が接合される板状部材により形成される中空の筒体であって、
一対の縁部のうち一方の縁部に沿った折返し線に沿って板状部材が内部方向に折り返されることで、筒体の内部方向に突出するように形成される一方の折返し部分と、
一対の縁部のうち他方の縁部に沿った折返し線に沿って板状部材が内部方向に折り返されることで、筒体の内部方向に突出するように形成される他方の折返し部分と、
を備えてなり、
板状部材が有する両主表面のうち筒体の外面に連続する面が互いに面するよう両方の折返し部分が互いに固定されるものである、中空の筒体。
【請求項２】
前記板状部材が複数の板材を含んでなり、
該複数の板材同士間のいずれもが前記一対の縁部によって接合されるものである、請求項１に記載の中空の筒体。
【請求項３】
前記筒体の外面が回転面を略なし、該回転面の軸を含む平面に沿って前記一対の縁部が接合されるものである、請求項１又は２に記載の中空の筒体。
【請求項４】
前記一対の縁部を複数有し、
該複数の一対の縁部のうち少なくとも２が前記軸に対して線対称に略存するものである、請求項３に記載の中空の筒体。
【請求項５】
前記一対の縁部を複数有し、
該複数の一対の縁部のうち少なくとも２の接合線が互いに平行な線分に略沿っており、該平行な線分を含む平面が前記筒体の重心を略通過するものである、請求項１乃至４のいずれか１に記載の中空の筒体。
【請求項６】
接合された前記一対の縁部の近傍に設けられた前記筒体を支持する支持部を、さらに備えるものである、請求項１乃至５のいずれか１に記載の中空の筒体。
【請求項７】
前記支持部が前記一対の縁部に沿って複数設けられるものである、請求項６に記載の中空の筒体。
【請求項８】
前記筒体の内面及び／又は外面を巡るように取り付けられ前記筒体の形状を保持する補強部材を、さらに備えるものである、請求項１乃至７のいずれか１に記載の中空の筒体。
【請求項９】
前記補強部材が、筒体の両開口の少なくともいずれかを巡るように取り付けられるものである、請求項８に記載の中空の筒体。
【請求項１０】
前記筒体の両開口の少なくともいずれかを塞ぐように取り付けられた蓋部材を、さらに備えるものである、請求項１乃至９のいずれか１に記載の中空の筒体。
【請求項１１】
前記板状部材が紙によって形成されるものである、請求項１乃至１０のいずれか１に記載の中空の筒体。
【請求項１２】
筒体の外面に広告及び／又は宣伝が表示される広告宣伝表示体である、請求項１乃至１１のいずれか１に記載の中空の筒体。
【考案の詳細な説明】
【技術分野】
【０００１】
本考案は、中空の筒体に関し、より詳細には、該筒体の一端の開口と他端の開口とを結ぶ線である接合線に沿って一対の縁部が接合される板状部材により形成される中空の筒体に関する。
【背景技術】
【０００２】
筒体の一端の開口と他端の開口とを結ぶ線である接合線に沿って一対の縁部が接合される板状部材により形成される中空の筒体は、種々の分野に用いられている（例えば、特許文献１参照）。
特許文献１には、「コスト低減、強度向上および廃棄処理の容易化を可能とした紙製容器を提供する」（要約の目的）ためになされた「紙シート(8)を筒状に成形してなる筒本体(12)と、この筒本体(12)の一方開口部(12a)に固定される紙製の底蓋(16)と、該筒本体(12)の他方開口部(12b)に着脱自在に嵌合される紙製の上蓋(13)とからなる容器であって、前記底蓋(16)は、前記筒本体(12)の一方開口部(12a) に内嵌し得る外部輪郭に設定した所要厚みの底板(18)と、この底板(18)より大きな外部輪郭を有して該底板(18)の外面に貼合わされる外板(17) とからなり、前記上蓋(13)は、前記筒本体(12)の他方開口部(12b)に内嵌し得る外部輪郭に設定した所要厚みの蓋板(15)と、この蓋板(15) より大きな外部輪郭を有して該蓋板(15)の外面に貼合わされる外板(14)とからなり、前記底蓋(16)は底板(18)を前記筒本体(12)の一方開口部(12a)に内嵌して接着すると共に、前記上蓋(13)は蓋板(15)を前記筒本体(12)の他方開口部(12b)に着脱可能に内嵌するよう構成したことを特徴とする紙製容器」（特許文献１、請求項１）が開示されている。このような特許文献１に記載の紙製容器は、「容器の本体,上蓋および底蓋を全て紙を材質として構成したことにより、使用後における廃棄処理の容易化が可能となる。そして上蓋および底蓋は、所要厚みの紙シートから打抜き加工や押抜き加工により製造する成形品とし得るので、加工コストの低減および強度の向上をはかることができる。更に、上蓋および底蓋を様々な形状に成形し得るので、各種形状の紙製容器を大量生産し得る等の有益な利点を有する。」（特許文献１、段落番号００１６）という効果を奏する。
【先行技術文献】
【特許文献】
【０００３】
【特許文献１】特開平８−２１７０５２号公報（例えば、要約、請求項１、段落番号０００６〜００１２、００１６、第１図〜第３図等）
【考案の概要】
【考案が解決しようとする課題】
【０００４】
特許文献１に記載の紙製容器は、「紙シート８の両端部を接着剤や両面テープ等で貼合わせることにより、略円筒形の筒本体１２」（特許文献１、段落番号０００８）が形成され、筒本体１２は一方には開口部１２ａ及び他方には開口部１２ｂを有している（特許文献１、段落番号０００８〜００１２、第１図〜第３図等参照）。即ち、特許文献１の筒本体１２は、当該筒体（筒本体１２）の一端の開口（開口部１２ａ）と他端の開口（開口部１２ｂ）とを結ぶ線である接合線に沿って一対の縁部が接合される板状部材（紙シート８）により形成される中空の筒体である。
このような筒体（筒本体１２）は、筒体（筒本体１２）の外面を形成するように板状部材（紙シート８）を湾曲させてなるが、このような筒体（筒本体１２）を形成する湾曲した板状部材（紙シート８）は強度が高くないことから、そのままでは用途が制限されたり、強度向上のために別個の補強部材を要するといった問題があった。
【０００５】
そこで、本考案では、筒体の一端の開口と他端の開口とを結ぶ線である接合線に沿って一対の縁部が接合される板状部材により形成され、高い強度を有する中空の筒体を提供することを目的とする。
【課題を解決するための手段】
【０００６】
本考案の中空の筒体（以下、「本筒体」という。）は、当該筒体の一端の開口と他端の開口とを結ぶ線である接合線に沿って一対の縁部が接合される板状部材により形成される中空の筒体であって、一対の縁部のうち一方の縁部に沿った折返し線に沿って板状部材が内部方向に折り返されることで、筒体の内部方向に突出するように形成される一方の折返し部分と、一対の縁部のうち他方の縁部に沿った折返し線に沿って板状部材が内部方向に折り返されることで、筒体の内部方向に突出するように形成される他方の折返し部分と、を備えてなり、板状部材が有する両主表面のうち筒体の外面に連続する面が互いに面するよう両方の折返し部分が互いに固定されるものである、中空の筒体である。
【０００７】
本筒体は、特許文献１の筒本体１２と同様、当該筒体の一端の開口と他端の開口とを結ぶ線である接合線に沿って一対の縁部が接合される板状部材により形成される中空の筒体である。なお、ここに中空の筒体とは、一端の開口と他端の開口とを内部空間によって連通させるものであり、円筒、楕円筒、半円筒、半楕円筒、角筒（三角筒、四角筒、五角筒、六角筒・・・・のようなｎ角筒（但しｎは３以上の整数））等を例示することができる。
本筒体は、一方の折返し部分と他方の折返し部分とを備えている。一方の折返し部分は、一対の縁部（板状部材が接合される一対の縁部）のうち一方の縁部に沿った折返し線に沿って板状部材が内部方向（筒体の内部空間方向）に折り返されることで、筒体の内部方向に突出するように形成される。同様に、他方の折返し部分は、一対の縁部（板状部材が接合される一対の縁部）のうち他方の縁部に沿った折返し線に沿って板状部材が内部方向（筒体の内部空間方向）に折り返されることで、筒体の内部方向に突出するように形成される。
そして、本筒体は、一方の折返し部分と他方の折返し部分とが互いに固定されるが、一方の折返し部分が有する両表面のうち筒体の外面に連続する面（一方の折返し部分に連続する板状部材が有する両主表面（筒体の外面を形成する主表面と筒体の内面を形成する主表面）のうち、筒体の外面を形成する主表面に連続する面）と、他方の折返し部分が有する両表面のうち筒体の外面に連続する面（他方の折返し部分に連続する板状部材が有する両主表面（筒体の外面を形成する主表面と筒体の内面を形成する主表面）のうち、筒体の外面を形成する主表面に連続する面）と、が互いに面するよう両方の折返し部分が互いに固定される。
このように板状部材が有する両主表面のうち筒体の外面に連続する面が互いに面するよう両方の折返し部分が互いに固定されることで、互いに固定された両方の折返し部分が、筒体の一端の開口と他端の開口とを結ぶ線である接合線に沿った筒体の内部方向に突出する補強リブとして機能するので、高い強度を有する中空の筒体とすることができる。
【０００８】
前記板状部材が複数の板材を含んでなり、該複数の板材同士間のいずれもが前記一対の縁部によって接合されるものであってもよい。
こうすることで本筒体を形成する板状部材が複数の板材を含み、該複数の板材同士間のいずれもが前記一対の縁部によって接合されるので、筒体の内部方向に突出し補強リブとして機能する互いに固定される両方の折返し部分（前記一対の縁部に沿って形成される）が、該複数の板材同士間のいずれにも形成され、本筒体をさらに高い強度を有するものとすることができる。
【０００９】
前記筒体の外面が回転面を略なし、該回転面の軸を含む平面に沿って前記一対の縁部が接合されるもの（以下、「回転面本筒体」という。）であってもよい。
こうすることで筒体の外面が形成する回転面の軸を含む平面に沿って、補強リブとして機能する互いに固定される両方の折返し部分（前記一対の縁部に沿って形成される）が形成されるので、該軸方向に沿った力（例えば、本筒体を該軸方向に向かって圧縮する力）や筒体の外面を内側に向かって押す力等に対し強度の高い中空の筒体とすることができる。
【００１０】
回転面本筒体の場合、前記一対の縁部を複数有し、該複数の一対の縁部のうち少なくとも２が前記軸に対して線対称に略存するものであってもよい。
こうすることで補強リブとして機能する互いに固定される両方の折返し部分（前記一対の縁部に沿って形成される）のうち少なくとも２が回転面の軸に対して線対称に略形成されるので、筒体の外面が形成する回転面の軸に対してバランス良く高い強度を有する中空の筒体とすることができる。
【００１１】
本筒体においては、前記一対の縁部を複数有し、該複数の一対の縁部のうち少なくとも２の接合線が互いに平行な線分に略沿っており、該平行な線分を含む平面が前記筒体の重心を略通過するものであってもよい。
こうすることで補強リブとして機能する互いに固定される両方の折返し部分（前記一対の縁部に沿って形成される）のうち少なくとも２の接合線が互いに平行な線分に略沿っており、該平行な線分を含む平面が前記筒体の重心を略通過するので、筒体の重心を略通過する平面において該重心の両側に該両方の折返し部分が形成され、バランス良く高い強度を有する中空の筒体とすることができる。
【００１２】
本筒体においては、接合された前記一対の縁部の近傍に設けられた前記筒体を支持する支持部を、さらに備えるもの（以下、「支持部保有本筒体」という。）であってもよい。
こうすることで本筒体を支持することで支持部に加わる力を、補強リブとして機能する互いに固定される両方の折返し部分（前記一対の縁部に沿って形成される）が支えることができるので、支持部に加わる力によって板状部材が変形や破損等することを防止又は減少させることができる。なお、支持部を前記一対の縁部の近傍に設けることは、支持部によって支持した本筒体に加える力を増加させた際に、支持部が近傍に設けられた前記一対の縁部に沿って形成された両方の折返し部分の少なくとも一部が破損するようにすればよい。
【００１３】
支持部保有本筒体の場合、前記支持部が前記一対の縁部に沿って複数設けられるものであってもよい。
補強リブとして機能する互いに固定される両方の折返し部分は、前記一対の縁部に沿って形成されるので、本筒体を支持する支持部を前記一対の縁部に沿って複数設けることで、十分な強度で本筒体を支持することができる。
【００１４】
本筒体においては、前記筒体の内面及び／又は外面を巡るように取り付けられ前記筒体の形状を保持する補強部材を、さらに備えるもの（以下、「補強部材保有本筒体」という。）であってもよい。
中空の筒体は、筒体の外面が内側に向かって押しつぶされることがあり、筒体の内面及び／又は外面を巡るように取り付けられ筒体の形状を保持する補強部材を備えるようにすれば、このように筒体がつぶれることを防止又は減少させることができる。
【００１５】
補強部材保有本筒体の場合、前記補強部材が、筒体の両開口の少なくともいずれかを巡るように取り付けられるものであってもよい。
中空の筒体においては、筒体の開口を規定する板状部材の端部が弱いことから、この端部に補強部材を取り付けることで、筒体がつぶれることを防止又は減少させることに加え、筒体の開口を規定する板状部材の端部を保護することができる。
【００１６】
本筒体においては、前記筒体の両開口の少なくともいずれかを塞ぐように取り付けられた蓋部材を、さらに備えるものであってもよい。
こうすることで蓋部材が本筒体の両開口の少なくともいずれかを塞ぐように取り付けられるので、本筒体の内部空間と外部空間とを仕切ることで、本筒体を様々な用途に用いることができる。
【００１７】
本筒体においては、前記板状部材が紙によって形成されるものであってもよい。紙はリサイクル使用が容易であり軽量でもあることから、中空の筒体を形成する板状部材として使用されることがあるが（例えば、特許文献１）、強度が不足するとして用途が制限されることもあった。本筒体においては、このような紙の利点を生かしつつ強度を向上させることができるので、紙により形成された中空の筒体をより幅広い目的に用いることができる。
【００１８】
本筒体は、筒体の外面に広告及び／又は宣伝が表示される広告宣伝表示体であってもよい。
外面に広告及び／又は宣伝が表示される広告宣伝表示体としては、気体を封入する袋体の表面に広告表示部を形成した宣伝用袋体（例えば、実用新案登録第３０８３６３２号）が知られているが、このような宣伝用袋体は気体が抜けることでしぼむ問題があり、定期的に気体を注入することを要していた。これに対し本筒体の外面に広告及び／又は宣伝を表示した広告宣伝表示体は、十分な強度を有すると共に、時間経過に伴って特別な作業（例えば、気体の注入等）を要することもなく、便利に使用できる。
【図面の簡単な説明】
【００１９】
【図１】一例の本考案の中空の筒体（本筒体）を示す正面図である。
【図２】本筒体の平面図である。
【図３】図１のＡ−Ａ断面図である。
【図４】図３の円Ｂ中の拡大図である。
【図５】図３の円Ｃ中の拡大図である。
【図６】図１のＤ−Ｄ断面図である。
【図７】図６の円Ｅ中の拡大図である。
【図８】第１板材及び第２板材を示す図である。
【考案を実施するための形態】
【００２０】
本考案の実施の形態を図面を参照して詳述するが、本考案はこれに限定されるものではない。
【００２１】
図１は、一例の本考案の中空の筒体（本筒体）１１を示す正面図であり、図２は本筒体１１の平面図（図１中、矢印Ｆ方向から見たところを示す。）であり、図３は図１のＡ−Ａ断面図であり、図４は図３の円Ｂ中の拡大図であり、図５は図３の円Ｃ中の拡大図であり、図６は図１のＤ−Ｄ断面図であり、図７は図６の円Ｅ中の拡大図であり、そして図８は後述する第１板材２１及び第２板材３１を示す図である（第１板材２１と第２板材３１とは同じ形状及び寸法の同一物である。なお、図８においては、図１乃至図７に示されるように折り曲げや湾曲させられる前の第１板材２１と第２板材３１とを示している。）。図１乃至図８を参照して、本筒体１１について説明する。
本筒体１１は、大まかには、第１板材２１と、第２板材３１と、第１板材２１及び第２板材３１により形成された直円柱の側面に略沿った筒体の両開口１３ａ、１３ｂを塞ぐ第１キャップ５１及び第２キャップ６１と、を含んでなる。
【００２２】
第１板材２１と第２板材３１とは同一物であるので、図８を参照しつつ詳しく説明する。なお、図８においては、第１板材２１についての参照番号の後に、第２板材３１の参照番号をかっこ内に記載している。また、図８は、後述の一主表面２３、３３に対して垂直方向から見たところを示しており、図１乃至図７に示されるように本筒体１１を構成する際に折り曲げや湾曲させられる前の状態（一主表面２３、３３が一平面に属する状態）を示している。
図８に示すように、第１板材２１及び第２板材３１は、長方形（縦寸法Ｇ１、横寸法Ｇ２）をした厚紙の四隅から小さな長方形（いずれも縦寸法Ｆ１、横寸法Ｆ２の同じ長方形）を切り欠いた主表面２３、３３を有する厚紙により形成されている。第１板材２１及び第２板材３１は、本体部２５、３５（縦寸法Ｇ１、横寸法（Ｇ２−２×Ｆ２）の長方形）と、本体部２５、３５に連なる一方の折返し部分２７、３７（縦寸法（Ｇ１−２×Ｆ１）、横寸法Ｆ２の長方形）と、本体部２５、３５に連なる他方の折返し部分２９、３９（縦寸法（Ｇ１−２×Ｆ１）、横寸法Ｆ２の長方形）と、を有してなる。本体部２５、３５と一方の折返し部分２７、３７との間は折返し線２６、３６（点線部分）が型押しにより形成されると共に、本体部２５、３５と他方の折返し部分２９、３９との間は折返し線２８、３８（点線部分）が型押しにより形成されている。折返し線２８、３８から（本体部２５、３５から離れる方向に）突出するよう一対の舌部２４ａ、２４ｂ、３４ａ、３４ｂが切り抜かれており、さらに舌部２４ａ、３４ａの中心部分には円形の穴２４ａｈ、３４ａｈが穿設されると共に舌部２４ｂ、３４ｂの中心部分には円形の穴２４ｂｈ、３４ｂｈが穿設されている。なお、主表面２３、３３いずれも、主表面２３、３３上に存する仮想上の直線Ｍに対して線対称に略形成されている。
【００２３】
このような第１板材２１の本体部２５が直円柱の側面（該直円柱の軸を含む平面で側面を２の部分に切断した一方の部分。なお、該平面に折返し線２６、２８が略存する。）に沿った形状になるように湾曲させ、一方の折返し部分２７を本体部２５に対して折返し線２６に沿って折返すと共に、他方の折返し部分２９を本体部２５に対して折返し線２８に沿って折返す（両折返し部分２７、２９はいずれも該直円柱の内部方向に折り返す。）。
同様に、第２板材３１の本体部３５が該直円柱の側面（該直円柱の軸を含む該平面で側面を２の部分に切断した他方の部分。なお、該平面に折返し線３６、３８が略存する。）に沿った形状になるように湾曲させ、一方の折返し部分３７を本体部３５に対して折返し線３６に沿って折返すと共に、他方の折返し部分３９を本体部３５に対して折返し線３８に沿って折返す（両折返し部分３７、３９はいずれも該直円柱の内部方向に折り返す。）。
そして、本体部２５と本体部３５とで該直円柱の側面に沿った筒体が形成されると共に、舌部２４ａと舌部３４ｂとが重なり、そして舌部２４ｂと舌部３４ａとが重なるように第１板材２１と第２板材３１とを固定する。第１板材２１と第２板材３１との固定は、一方の折返し部分２７と一方の折返し部分３７との間を接着剤７１にて接着すると共に、他方の折返し部分２９と他方の折返し部分３９との間を接着剤７１にて接着することにより行う（特に、図４及び図５参照）。なお、ここでは接着剤７１を用いて互いの折返し部分を固定したが、これに限定されるものでないことは言うに及ばず、例えば、粘着テープ（両面テープを含む）を用いてもよい。
【００２４】
このようにして本体部２５と本体部３５とで形成された直円柱の側面に沿った筒体の両開口１３ａ、１３ｂには、それを塞ぐ第１キャップ５１及び第２キャップ６１が取り付けられている。第１キャップ５１及び第２キャップ６１のいずれも同じものを用いており、いずれも合成樹脂により一体に形成されている。
第１キャップ５１及び第２キャップ６１は、主表面が円形を略したキャップ本体部５３、６３と、本体部２５、３５の内周面を巡るようにキャップ本体部５３、６３の外周縁に連なる内側フランジ部５５、６５と、本体部２５、３５の外周面を巡る外側フランジ部５７、６７と、内側フランジ部５５、６５と外側フランジ部５７、６７とを連結する連結部５９、６９と、を有してなり、前述のようにいずれも合成樹脂により一体にほぼ回転体形状になるように形成されている（特に、図６及び図７参照）。
このような第１キャップ５１及び第２キャップ６１を、本体部２５と本体部３５とで形成される筒体の両開口１３ａ、１３ｂに嵌着することで、本筒体１１が完成される。
【００２５】
このように本筒体１１は、第１板材２１と第２板材３１と第１キャップ５１と第２キャップ６１とを含んでなり、第１板材２１の折返し線２８と第２板材３１の折返し線３８とが直線Ｊに沿ってほぼ平行に隣接するよう他方の折返し部分２９と他方の折返し部分３９との間が接着剤７１により接着されると共に、第１板材２１の折返し線２６と第２板材３１の折返し線３６とが直線Ｋに沿ってほぼ平行に隣接するよう一方の折返し部分２７と一方の折返し部分３７との間が接着剤７１により接着されている。このように互いに固定された第１板材２１と第２板材３１との本体部２５及び本体部３５によって直円柱の側面に沿った形状を有する中空の筒体が形成されており、その筒体の両開口１３ａ、１３ｂにはそれを塞ぐ第１キャップ５１及び第２キャップ６１が取り付けられている。そして、互いに重なった舌部２４ａ及び舌部３４ｂは、それらが有し連通する穴２４ａｈ、３４ｂｈに紐等のような線材を係合させ、本筒体１１を支持するために用いることができる。同様に、互いに重なった舌部２４ｂ及び舌部３４ａは、それらが有し連通する穴２４ｂｈ、３４ａｈに紐等のような線材を係合させ、本筒体１１を支持するために用いることができる。
また、接合線（直線Ｊ、直線Ｋ）を含み、筒体１１の外面に接する平面Ｐ（図４及び図５を参照）に対し、互いに固定された両方の折返し部分（２９、３９）、（２７、３７）がなす角度Ｑ（０〜９０度）は、９０度に近い方が補強リブとして有効に機能するので、好ましくは３０〜９０度であり、より好ましくは４５〜９０度であり、最も好ましくは６０〜９０度である。
そして、ここでは本筒体１１の外面には広告に関する文言や画像（図示せず）が表示され、本筒体１１は広告宣伝表示体として機能する。
【００２６】
以上説明したように本筒体１１は、当該筒体１１の一端の開口１３ａと他端の開口１３ｂとを結ぶ線である接合線（直線Ｊ）に沿って一対の縁部（第１板材２１の折返し線２８により形成される縁部と、第２板材３１の折返し線３８により形成される縁部）が接合される板状部材（ここでは第１板材２１と第２板材３１とを含む）により形成される中空の筒体であって、一対の縁部（折返し線２８により形成される縁部、折返し線３８により形成される縁部）のうち一方の縁部（折返し線２８により形成される縁部）に沿った折返し線２８に沿って板状部材（ここでは第１板材２１）が内部方向に折り返されることで、筒体１１の内部方向に突出するように形成される一方の折返し部分２９と、一対の縁部（折返し線２８により形成される縁部、折返し線３８により形成される縁部）のうち他方の縁部（折返し線３８により形成される縁部）に沿った折返し線３８に沿って板状部材（ここでは第２板材３１）が内部方向に折り返されることで、筒体１１の内部方向に突出するように形成される他方の折返し部分３９と、を備えてなり、板状部材（第１板材２１と第２板材３１）が有する両主表面のうち筒体１１の外面に連続する面２３、３３が互いに面するよう両方の折返し部分２９、３９が互いに固定されるものである、中空の筒体である。
また、本筒体１１は、当該筒体１１の一端の開口１３ａと他端の開口１３ｂとを結ぶ線である接合線（直線Ｋ）に沿って一対の縁部（第１板材２１の折返し線２６により形成される縁部と、第２板材３１の折返し線３６により形成される縁部）が接合される板状部材（ここでは第１板材２１と第２板材３１とを含む）により形成される中空の筒体であって、一対の縁部（折返し線２６により形成される縁部、折返し線３６により形成される縁部）のうち一方の縁部（折返し線２６により形成される縁部）に沿った折返し線２６に沿って板状部材（ここでは第１板材２１）が内部方向に折り返されることで、筒体１１の内部方向に突出するように形成される一方の折返し部分２７と、一対の縁部（折返し線２６により形成される縁部、折返し線３６により形成される縁部）のうち他方の縁部（折返し線３６により形成される縁部）に沿った折返し線３６に沿って板状部材（ここでは第２板材３１）が内部方向に折り返されることで、筒体１１の内部方向に突出するように形成される他方の折返し部分３７と、を備えてなり、板状部材（第１板材２１と第２板材３１）が有する両主表面のうち筒体１１の外面に連続する面２３、３３が互いに面するよう両方の折返し部分２７、３７が互いに固定されるものである、中空の筒体である。
【００２７】
本筒体１１においては、前記板状部材が複数の板材（第１板材２１と第２板材３１とを含む）を含んでなり、該複数の板材（第１板材２１と第２板材３１）同士間のいずれもが前記一対の縁部（折返し線２８により形成される縁部と折返し線３８により形成される縁部、折返し線２６により形成される縁部と折返し線３６により形成される縁部）によって接合されるものである。
本筒体１１においては、前記筒体１１の外面が回転面（ここでは本体部２５及び本体部３５によって形成される直円柱の側面）を略なし、該回転面（本体部２５及び本体部３５による直円柱の側面）の軸を含む平面（直線Ｊ及び直線Ｋのいずれも該平面に略属する）に沿って前記一対の縁部が接合されるものである。
本筒体１１においては、前記一対の縁部を複数有し（折返し線２８により形成される縁部と折返し線３８により形成される縁部とによる前記一対の縁部と、折返し線２６により形成される縁部と折返し線３６により形成される縁部とによる前記一対の縁部と、の２つを有する。）、該複数の一対の縁部のうち少なくとも２（ここでは折返し線２８により形成される縁部と折返し線３８により形成される縁部とによる前記一対の縁部と、折返し線２６により形成される縁部と折返し線３６により形成される縁部とによる前記一対の縁部と、の２つ）が前記軸（該回転面（本体部２５及び本体部３５による直円柱の側面）の軸）に対して線対称に略存するものである。
本筒体１１においては、前記一対の縁部を複数有し（折返し線２８により形成される縁部と折返し線３８により形成される縁部とによる前記一対の縁部と、折返し線２６により形成される縁部と折返し線３６により形成される縁部とによる前記一対の縁部と、の２つを有する。）、該複数の一対の縁部のうち少なくとも２（ここでは折返し線２８により形成される縁部と折返し線３８により形成される縁部とによる前記一対の縁部と、折返し線２６により形成される縁部と折返し線３６により形成される縁部とによる前記一対の縁部と、の２つ）の接合線（直線Ｊ及び直線Ｋ）が互いに平行な線分に略沿っており、該平行な線分を含む平面が前記筒体１１の重心を略通過するものである。
【００２８】
本筒体１１においては、接合された前記一対の縁部（ここでは第１板材２１の折返し線２８により形成される縁部と、第２板材３１の折返し線３８により形成される縁部）の近傍に設けられた前記筒体１１を支持する支持部（ここでは舌部２４ａ、２４ｂ、３４ａ、３４ｂが該当する）を、さらに備えるものである。
そして前記支持部たる舌部２４ａ、２４ｂ、３４ａ、３４ｂが前記一対の縁部（第１板材２１の折返し線２８により形成される縁部、第２板材３１の折返し線３８により形成される縁部）に沿って複数設けられるものである。
【００２９】
本筒体１１においては、前記筒体１１の内面及び／又は外面を巡るように取り付けられ前記筒体１１の形状を保持する補強部材（第１キャップ５１及び第２キャップ６１）を、さらに備えるものである（なお、キャップ５１、６１の内側フランジ部５５、６５は本筒体１１の内面を巡るように取り付けられ、外側フランジ部５７、６７は本筒体１１の外面を巡るように取り付けられるので、キャップ５１、６１はいずれも本筒体１１の内面及び外面を巡るように取り付けられ本筒体１１の形状を保持する。）。
そして、本筒体１１においては、前記補強部材（第１キャップ５１及び第２キャップ６１）が、筒体１１の両開口１３ａ、１３ｂの少なくともいずれか（ここでは両開口１３ａ、１３ｂの両方）を巡るように取り付けられるものである。
本筒体１１においては、前記筒体１１の両開口１３ａ、１３ｂの少なくともいずれか（ここでは両開口１３ａ、１３ｂの両方）を塞ぐように取り付けられた蓋部材（第１キャップ５１及び第２キャップ６１）を、さらに備えるものである。
本筒体１１においては、前記板状部材（第１板材２１と第２板材３１とのいずれも厚紙により形成されている。）が紙によって形成されるものである。
本筒体１１は、筒体１１の外面に広告及び／又は宣伝（ここでは図示を省略している。）が表示される広告宣伝表示体である。
【符号の説明】
【００３０】
１１                本筒体
１３ａ、１３ｂ      開口
２１                第１板材
２３                主表面
２４ａ、２４ｂ      舌部
２４ａｈ、２４ｂｈ  穴
２５                本体部
２６、２８          折返し線
２７、２９          折返し部分
３１                第２板材
３３                主表面
３４ａ、３４ｂ      舌部
３４ａｈ、３４ｂｈ  穴
３５                本体部
３６、３８          折返し線
３７、３９          折返し部分
５１                第１キャップ
５３                キャップ本体部
５５                内側フランジ部
５７                外側フランジ部
５９                連結部
６１                第２キャップ
６３                キャップ本体部
６５                内側フランジ部
６７                外側フランジ部
６９                連結部
７１                接着剤
【図１】
0003150657.tif 000003
【図２】
0003150657.tif 000004
【図３】
0003150657.tif 000005
【図４】
0003150657.tif 000006
【図５】
0003150657.tif 000007
【図６】
0003150657.tif 000008
【図７】
0003150657.tif 000009
【図８】
0003150657.tif 000010